(57)【要約】【課題】簡単な構成で注射針を刺すときと抜くときの痛みを緩和させる。【解決手段】注射器１を収容して外周に係合部６ｅを有して一端に注射針１ｄを通す第一孔６ａを有するホルダ６と、ホルダの一端側に軸方向に移動自在に装着され、係合部６ｅに係合する被係合部１０ｄを有して中央に注射針１ｄを通す第二孔１０ｃを有する案内部材１０と、この案内部材１０とホルダ２の一端との間に介在して第二孔を第一孔から離脱する方向に付勢する弾性部材３とを有し、係合部６ｅと被係合部１０ｄとの係合で案内部材１０の移動を案内した。また、ホルダ６に、ホルダ６を回転自在に支持する把持部材８を取り付け、案内部材１０をホルダの外周に嵌合する筒体１０とし、係合部６ｅによる被係合部１０ｄの移動軌跡Ｂをホルダの軸方向の中心線Ａに対して傾斜させ、且つシリンダ１ａをホルダ６に弾性支持するものとした。【選択図】図５
2012143614.tif 000002
【特許請求の範囲】
【請求項１】
ピストン（１ｂ）シリンダ（１ａ）注射針（１ｄ）からなる注射器（１）を着脱自在に収容し、外周に係合部（２ｂ）（６ｅ）を有して一端に前記注射針（１ｄ）を通す第一孔（２ａ）（６ａ）を有するホルダ（２）（６）と、前記ホルダの一端側にホルダの軸方向に移動自在に装着され前記係合部に係合する被係合部（４ｃ）（１０ｄ）を有して中央に前記注射針を通す第二孔（４ａ）（１０ｃ）を有する案内部材（４）（１０）と、
前記案内部材と前記ホルダの一端との間に介在して前記第二孔と前記第一孔とが離れる方向に付勢する弾性部材（３）とを有し、
前記弾性部材の弾力で前記係合部と前記被係合部とが係合したとき、前記注射針を前記第一孔と前記第二孔との間に収容したことを特徴とする注射痛緩和装置。
【請求項２】
前記ホルダ（６）に、前記シリンダに弾性嵌合する嵌合部（７）と該ホルダを回転自在に支持する把持部材（８）とを設け、前記案内部材を前記ホルダの外周に嵌合する筒体（１０）とし、前記係合部による前記被係合部の移動軌跡を前記ホルダの軸方向の中心線に対して傾斜させたことを特徴とする請求項１に記載の注射痛緩和装置。
【請求項３】
前記筒体の第二孔（１０ｃ）に、前記注射針の外径より僅かに大きい小径部（１１）と前記第一孔（６ａ）に対向する側に大径を有するテーパ面（１２）とを設けたことを特徴とする請求項２に記載の注射痛緩和装置。
【発明の詳細な説明】
【技術分野】
【０００１】  本発明は、注射針を刺すときと、抜くときの痛みを緩和させる注射痛緩和装置に関する。
【背景技術】
【０００２】  ピストン、シリンダ、注射針からなる注射器で注射をするときは、注射針が刺さるときと抜くときに痛みを感じる。特に患者が自身でインスリンを注射するときは注射針の動きが分かるので痛みを強く感じてしまう。このようなこの痛みを緩和するため、注射時に注射針を振動させる技術が提案されていた。特許文献１では注射針に超音波振動を軸方向に加えて注射時の痛みを緩和するようにしている。特許文献２では注射針の軸方向と直行する方向に振動を加えて注射時の痛みを緩和するようにしている。また、特許文献３では注射針を覆って注射時に見えないようにすることで注射時の痛みを緩和するようにしている。さらに、これらとは別に、インスリン注射においては注射針の径を０．２〜０．３ミリ程度に細くしたペン型注射器が使用される。このペン型注射器では、注射針の径を細くすることで注射時の痛みを緩和している。
【先行技術文献】
【特許文献】
【０００３】
【特許文献１】特開２００６−２０８４３号公報
【特許文献２】特開２００１−３４６８７４号公報
【特許文献３】ＷＯ２００４／００４８０９号公報
【発明の概要】
【発明が解決しようとする課題】
【０００４】  特許文献１及び２に示された技術は、注射針に振動を与える装置が必要となり高価で構成が複雑なものとなる。また、特許文献３も、注射針の移動をモータの動力で行うため高価で構成が複雑になっている。さらに、注射器自体になんらかの改良を加えた場合、注射器の汎用性が無くなる。一方、ペン型注射器では注射針を体内から抜き出すとき、血液がシリンダ内に逆流することを防ぐため、ピストンを押しながら注射針を体内から抜き出す操作を行う。この操作は、指がピストンを押し、手先がシリンダを注射部位から引き離すという逆方向の力の操作を行うようにしている。しかもこの操作は片手で行われるため、注射針の先端がブレ易く、注射針を抜き出すときに注射針を曲げると、撓んだ注射針の先が皮膚を弾くように抜け出るので、相当の痛みを伴ってしまう。さらに、図９に示すように注射針１ｄを矢印方向に引き抜く際に、注射針１ｄは摩擦で皮膚５を富士山の形に引き上げるので、これとは別の痛みを感じさせてしまう。
また、注射針は細く形成されていても皮膚に刺し込む際に、痛点を刺激することでチクリとした鋭い痛みを感じさせる。しかもペン型注射器では注射針がむき出しとなっており、この注射針を注視しながらその根元まで皮膚に差し込むという操作が行われる。このため注射針の差し込む速さが遅くなり、このチクリの痛みを感じる時間が長くなってしまう。
本発明は、簡単な構成で注射針が刺すときと抜くときの痛みを緩和させる注射痛緩和装置を提供する。
【課題を解決するための手段】
【０００５】  第一の発明の注射痛緩和装置は、注射器を着脱自在に収容して外周に係合部を有して一端に注射針を通す第一孔を有するホルダ、ホルダの一端側に軸方向に移動自在に装着され前記係合部に係合する被係合部を有して中央に注射針を通す第二孔を有する案内部材、この案内部材とホルダの一端との間に介在して第二孔と第一孔とが離れる方向に付勢する弾性部材を有し、弾性部材の弾力で係合部と被係合部とが係合したとき、注射針を第一孔と第二孔との間に収容した。【０００６】  第二の発明の注射痛緩和装置は、第一の発明の注射痛緩和装置のホルダに、シリンダに弾性嵌合する嵌合部と該ホルダを回転自在に支持する把持部材とを設け、案内部材をホルダの外周に嵌合する筒体とし、係合部による被係合部の移動軌跡をホルダの軸方向の中心線に対して傾斜させた。【０００７】  第三の発明の注射痛緩和装置は、第二の発明の注射痛緩和装置の筒体の第二孔に、注射針の外径より僅かに大きい小径部と第一孔に対向する側に大径を有するテーパ面とを設けた。
【発明の効果】
【０００８】  第一の発明の注射痛緩和装置では、注射器を着脱自在に収容するホルダを設けている。これにより汎用の注射器であっても、注射針はホルダと案内部材とに案内されて皮膚からの差し込みと引き出しが行える。この結果、注射針は先端がブレないので注射針を引き抜く際に、注射針の先が皮膚を弾くことがない。しかも注射針を早く差し込むことができるので、チクリとする痛みの感じる時間を短くできる。また、係合部と被係合部とが係合したとき、注射針を第一孔と第二孔との間に収容したことにより、注射針を視界から閉ざすことができる。さらに、皮膚に接する面に第一孔を当てると、第一孔の縁が注射針を引き抜く際に皮膚の引き上げることを阻止するので痛みを感じさせない。【０００９】  第二の発明の注射痛緩和装置では、ホルダを回転自在に支持する把持部材を一方の手で支持し、ホルダの外周に嵌合する筒体を他方の手で支持できる。この結果、注射を二本の手で操作でき、ピストンを押しながら注射針を抜き取る操作を安心して行える。さらに係合部による被係合部の移動軌跡をホルダの軸方向の中心線に対して傾斜させたので、注射針を皮膚に差し込むときと引き抜くとき、注射針に回転運動が与えられ、注射針の突き刺すときの鋭い痛みが緩和される。【００１０】  第三の発明の注射痛緩和装置では、第二の発明の注射痛緩和装置の第二孔に、注射針の外径より僅かに大きい小径部と第一孔に対向する側に大径を有するテーパ面とを設けた。この結果、注射針が曲がっていてもテーパ面と小径部とで矯正されるので注射針を皮膚に真っ直ぐ突き刺すことができる。
【図面の簡単な説明】
【００１１】
【図１】ペン型注射器１を示す側面図。
【図２】第一実施例の分解斜視図。
【図３】第一実施例の使用状態を示す断面図。
【図４】第一実施例の使用状態を示す断面図。
【図５】第二実施例の分解斜視図。
【図６】第二実施例の使用状態を示す側面図。
【図７】第二実施例の使用状態を示す側面図。
【図８】第二ホルダ２の断面図。
【図９】従来例を示す側面図。
【発明を実施するための形態】
【００１２】  注射器を着脱自在に収容して外周に係合部を有して一端に注射針を通す第一孔を有するホルダと、ホルダの一端側に軸方向に移動自在に装着され係合部に係合する被係合部を有して中央に注射針を通す第二孔を有する案内部材と、この案内部材とホルダの一端との間に介在して第二孔と第一孔とが離れる方向に付勢する弾性部材とを有し、係合部と被係合部とが係合したとき、注射針を第一孔と第二孔との間に収容した。
また、ホルダに、ホルダを回転自在に支持する把持部材を取り付け、案内部材をホルダの外周に嵌合する筒体とし、係合部による被係合部の移動軌跡をホルダの軸方向の中心線に対して傾斜させ、且つシリンダとホルダとを弾性的に支持した。
【実施例１】
【００１３】  図１は本実施例で説明するペン型注射器を示す。この注射器１は円筒形のシリンダ１ａ内に薬液が収められており、右端のピストン１ｂを左方に押すとシリンダ１ａの左端から薬液が押し出される構造になっている。シリンダ１ａの左端には雄ネジ１ｃが設けられており、この雄ネジ１ｃに、中心に注射針１ｄを取り付けた合成樹脂製のナット１ｅがねじ込まれる。そしてナット１ｅは左端面に小円柱１ｆを突出形成しており、この小円柱１ｆで注射針１ｄを支えている。ナット１ｅに注射針１ｄを取り付けることで注射針１ｄの交換を容易にしている。この注射針１ｄは太さが０．３ミリで、小円柱１ｆの左端より８ミリ程度突出しており、先端は斜めにカットされている。本発明ではこのナット１ｅもシリンダ１ａの一部として定義する。なお、ピストン１ｂの右端にはピストン１ｂに回転自在なノブ１ｇが取り付けられている。ペン型注射器のピストン１ｂは、シリンダ１ａに対して所定量を回転すると、薬液を押し出す量を設定できるようにしてあり、ノブ１ｇを設けることでピストン１ｂの回転復帰を妨げないようにしている。【００１４】  図２は注射痛緩和装置の第一実施例を分解図で示す。注射器１のシリンダ１ａを着脱自在に収容するホルダ２は中空の円筒体で一端は開口し、他端は円盤で塞がれている。円盤の中心には注射針１ｄとともに小円柱１ｆを通すことができる第一孔２ａが開けられている。この第一孔２ａの直径は、小円柱１ｆの直径が３ミリとすると、３．３〜３．４ミリ程度に設定される。さらにホルダ２の他端側には、ホルダ２の軸心線方向と平行の細長い角溝２ｂ（係合部）が、ホルダ２の外周に１８０度の間隔で開けられている。そしてホルダ２の開口側に描いているテーパバネ３（弾性部材）は、ホルダ２の内部に収容される。テーパバネ３の隣に描いた円盤状の案内板４（案内部材）には、中央に注射針１ｄとともに小円柱１ｆを通すことができる第二孔４ａが開けられ、テーパバネ３に対峙する面にテーパバネ３の小円に嵌合するボス４ｂが形成され、角溝２ｂに嵌合する凸片４ｃ（被係合部）が外周に１８０度の間隔で形成されている。この第二孔４ａの直径は、小円柱１ｆの直径が３ミリとすると、３．１〜３．３ミリ程度に設定される。そして案内板４の外径は、ホルダ２の内径より若干小さく設定されている。そして、ホルダ２の内部に収容されたテーパバネ３は、円盤と案内板４との間に挟まれて第二孔４ａを第一孔２ａから離れる方向に付勢する。その付勢力は、注射器１に案内板４の重力を加えた値の２倍程度に設定される。【００１５】  第一実施例の注射痛緩和装置は、ホルダ２内にテーパバネ３を収容した後、案内板４をホルダ２内に収容して凸片４ｃを角溝２ｂに嵌合させた簡単なものとなっている。そして、案内板４はテーパバネ３の弾力で開口側に押し戻され、凸片４ｃが角溝２ｂの終端に当接することで抜け止めされている。また、凸片４ｃは、角溝２ｂの全長の範囲に亘って案内板４の移動を案内する。この角溝２ｂの長さは、ホルダ２内に注射器１を入れてナット１ｅの先端がテーパバネ３の弾力で押し戻されている案内板４に当たったとき、注射針１ｄを第一孔２ａと第二孔４ａとの間に収容し、注射針１ｄが第一孔２ａから突出しない長さに設定されている。【００１６】  図３、図４は第一実施例の注射痛緩和装置を使用する状態を示し、ホルダ２と案内板４とを断面、注射器１を仮想線で示す。図３はシリンダ１ａをホルダ２に収めた状態で、ホルダ２の内周にシリンダ１ａの外周が支えられ、ナット１ｅの小円柱１ｆが第二孔４ａに嵌合している。このとき案内板４はテーパバネ３の弾力で開口側に押し戻され、凸片４ｃが角溝２ｂの終端に当接している。このため注射針１ｄは、第一孔２ａよりホルダ２の内部に収まっており視界から遮られ、ホルダ２の左端に接する皮膚５には接していない。また、注射針１ｄがホルダ２の内部に収まることで、一方の手で第一孔２ａを皮膚５に押し当てるようにホルダ２を保持できる。【００１７】  図３の状態より、他方の手で注射器１を左方に移動させると、案内板４はシリンダ１ａに押されてテーパバネ３を押し縮めながら左方に移動する。そしてボス４ｂの先端が第一孔２ａの縁に当接するとシリンダ１ａの移動は阻止される。このとき注射針１ｄは図４に示すように第一孔２ａから突出して体内に侵入している。さらにこのときシリンダ１ａはホルダ２に案内され、ナット１ｅは案内板４に案内されて移動するので、注射針１ｄは体内に真っ直ぐに侵入されている。この後、ノブ１ｇを押してピストン１ｂを左方に移動させると、薬液が体内に注入される。そして、第一孔２ａを皮膚５に押し当てた状態でノブ１ｇを左方に押した状態のままシリンダ１ａを右方に移動する。このとき注射針１ｄはシリンダ１ａがホルダ２に案内され、ナット１ｅが案内板に案内されて移動し、注射針１ｄは体内から真っ直ぐに引き出される。【００１８】  第一実施例では、ホルダ２とテーパバネ３と案内板４とで極めて簡単に注射痛緩和装置を構成することができる。そして、注射針１ｄはシリンダ１ａがホルダ２に、ナット１ｅが案内板４に案内されるので注射針１ｄの先端がブレることがない。また、注射針１ｄを引き抜く際、体内から真っ直ぐに引き出されるので注射針１ｄの先が皮膚５を弾くことがない。そして注射針１ｄの移動は、注射針１ｄは視界から遮られ、且つ案内板４のボス４ｂの先端が第一孔２ａの縁に当接する移動範囲に設定されているので安心して注射針１ｄを早く差し込むことができる。この結果、チクリとする痛みの感じる時間は短くなる。そして、第一孔２ａを皮膚５に押し当てているので、注射針１ｄを引き抜く際に、直径が３．４ミリ以下の第一孔２ａの縁は、注射針１ｄが皮膚５を引き上げることを阻止し、痛みを感じさない。しかも注射の操作は二本の手を使って行われるので操作の安心感が増す。しかも一般に流通しているペン型注射器をそのまま使用することができる。
【実施例２】
【００１９】  図５に注射痛緩和装置の第二実施例を分解図で示す。注射器１のシリンダ１ａを着脱自在に収容するホルダ６は、中空の円筒体で一端は開口し、他端は円盤で塞がれている。円盤の中心には、注射針１ｄとともに小円柱１ｆを通す第一孔６ａが開けられている。このホルダ６は開口側に第一小径円筒部６ｂ、他端側に第二小径円筒部６ｃが形成され両小径円筒部の間に大径円筒部６ｄを形成している。また、第二小径円筒部６ｃの他端側には、ホルダ６の軸心線Ａに対して３０度ほど傾斜する中心線Ｂ（図６参照）を有する細長い角溝６ｅ（係合部）が外周に１８０度の間隔で開けられている。ホルダ６の内部には中空孔７ａを持つゴムリング７（嵌合部）が嵌め込まれている。この中空孔７ａは、ナット１ｅの外周に弾性嵌合してホルダ６が回転すると注射器１も回転するようにしている。ホルダ６の開口側に、大径円筒部６ｄを収容する長さの第一角柱８（把持部材）が描かれている。この第一角柱８の一端には、第一小径円筒部６ｂに嵌合する第一軸孔８ａを形成し、他端には角穴８ｂを形成している。この角穴８ｂには第二小径円筒部６ｃに嵌合する第二軸孔９ａを有する支板９が嵌合する。【００２０】  さらに第二小径円筒部６ｃの他端側には、第二小径円筒部６ｃに嵌合する第二角柱１０（筒体）が配置される。この第二角柱１０は、一端側に第二小径円筒部６ｃを収容する開口部１０ａが形成され、他端側は薄い四角板１０ｂで塞がれている。この四角板１０ｂの中心には注射針１ｄを通す第二孔１０ｃが設けられている。この第二孔１０ｃの直径は注射針１ｄの外径より大きく小円柱１ｆの外径より小さく設定されている。第二角柱１０の側面には角溝６ｅに嵌合する突起１０ｄ（被係合部）が第二角柱１０の内部に向けて突設されている。そして第二孔１０ｃと第一孔６ａとの間に、第二孔１０ｃと第一孔６ａとが離れる方向に付勢するテーパバネ３（弾性部材）が描かれている。このテーパバネ３の付勢力は、注射器１にホルダ６と第一角柱８の重力を加えた値の２倍程度に設定される。【００２１】  第二実施例の注射痛緩和装置のホルダ６は、第一角柱８の角穴８ｂを第一小径円筒部６ｂ側からホルダ６に差し込み、角穴８ｂを支板９で塞ぐことで第一角柱８に回転自在に軸支される。そして本実施例では第一角柱８の長さを手の握り幅としている。そして、テーパバネ３を第二角柱１０と第二小径円筒部６ｃの端面に位置させて、第二角柱１０を第二小径円筒部６ｃに嵌め込んで行き、突起１０ｄを角溝６ｅに嵌合させる。突起１０ｄは角溝６ｅに嵌合することでテーパバネ３の弾力に抗して第二角柱１０を第二小径円筒部６ｃから抜け止め支持する。そして、第二角柱１０に対してホルダ６を軸心線方向に移動させると、軸心線に対して３０度ほど傾斜する角溝６ｅと突起１０ｄとの嵌合により、突起１０ｄは、ホルダ６を回転させる移動軌跡を描く。このホルダ６の回転に伴いホルダ６に収容される注射器１も回転する。さらにこの角溝６ｅの長さは、ホルダ６内に注射器１を入れてナット１ｅの先端が円盤に当接したとき、テーパバネ３の弾力でホルダ６より押し出された第二角柱１０が、注射針１ｄを第一孔６ａと第二孔１０ｃとの間に収容し、注射針１ｄが注射針１ｄを第二孔１０ｃから突出させない長さに設定されている。【００２２】  図６、図７は第二実施例の注射痛緩和装置を使用する状態を示す。図６は注射器１のシリンダ１ａをホルダ６に収めた状態を示す。シリンダ１ａは、ナット１ｅがゴムリング７の中空孔７ａに弾性的に嵌合してホルダ６と一体化している。そして、ナット１ｅの小円柱１ｆが第一孔６ａに嵌合している。このとき第二角柱１０は、テーパバネ３の弾力で第二孔１０ｃを第一孔６ａから離脱する方向に押し戻され、突起１０ｄが角溝６ｅの一端に当接している。このため注射針１ｄは、第二角柱１０の内部に収まっている。そして注射を行うとき、一方の手で第一角柱８を保持し、他方の手で第二角柱１０の第二孔１０ｃを皮膚５に押し当てるように保持する。【００２３】  図６の状態より一方の手で第一角柱８を左方に移動させると、ホルダ６はテーパバネ３を押し縮めながら第二小径円筒部６ｃが第二角柱１０の内壁に案内されて左方に移動する。この移動時に第二角柱１０の突起１０ｄは、ホルダ６の軸心線Ａに対して３０度ほど傾斜する中心線Ｂを持つ角溝６ｅに係合して、傾斜角に沿ってホルダ６を回転させる。そして、ホルダ６に一体化しているシリンダ１ａも共に回転するので、注射針１ｄも回転しながら体内に侵入するする。そして小円柱１ｆの先端が第二孔１０ｃの縁に当接すると、図７に示すように注射針１ｄは第二孔１０ｃから突出して体内に侵入する。この後、ノブ１ｇを介してピストン１ｂを左方に移動させると、薬液が体内に注入される。そして、ノブ１ｇを左方に押した状態で第一角柱８だけを右方に移動すると、ホルダ６は第二角柱１０に案内されて右方に移動し、注射針１ｄは体内から真っ直ぐに引き出される。【００２４】  第二実施例では、注射針１ｄは回転しながら体内に侵入するので、注射針１ｄが皮膚に突き刺ささる鋭い痛みが緩和される。また、ホルダ６は第二角柱１０に案内されて移動するので注射針１ｄの先端がブレることがない。そして注射針１ｄを引き抜く際も、体内から真っ直ぐに引き出されるので注射針１ｄの先が皮膚５を弾くことがない。さらに、注射針１ｄの移動は、小円柱１ｆの先端が第二孔１０ｃの縁に当接する移動範囲に設定されているので安心して注射針１ｄを早く差し込むことができる。この結果、皮膚５がチクリとする痛みを感じる時間は短くなる。そして、第二孔１０ｃを皮膚５に押し当てているので、第二孔１０ｃの縁は注射針１ｄを引き抜く際に注射針１ｄが皮膚５を引き上げることを阻止し、痛みを感じさない。しかも注射の操作は二本の手を使って行われるので操作の安心感が増す。さらに、一般に流通しているペン型注射器をそのまま使用することができる。【００２５】  図８は第二実施例の第二孔１０ｃの詳細を説明する。第二孔１０ｃは、注射針１ｄの直径より０．１ミリ程度大径の小孔１１（小径部）と第一孔６ａに対面する側が大径となる約４５度のテーパ孔１２（テーパ面）とで構成されている。仮に四角板１０ｂの厚みを１ミリとし、小孔１１を径０．４ミリ、長さ０．３ミリとすると、テーパ孔１２の大径は１．８ミリ程度となる。第二孔１０ｃをこのように構成すると注射針１ｄが僅かに曲がっていた場合、その曲がりはテーパ孔１２の面で矯正され、先端は���孔１１に案内される。そして、注射針１ｄは小孔１１に案内されて真っ直ぐ体内に侵入する。一方、注射針１ｄが何らかのトラブルで大きく曲がっていた場合は、注射針１ｄは四角板１０ｂに遮られて体内への侵入が阻止される。【００２６】  第二実施例ではホルダ６に第一および第二角柱８・１０を嵌合させたが、角柱形状を円筒形状としても差し支えない。また、ホルダ６に角溝６ｅ、第二角柱１０に突起１０ｄを設けたが逆にホルダ６に突起１０ｄ、第二角柱１０に角溝６ｅを設けてもよい。さらに角溝６ｅの傾斜角を３０度としたが４５度程度に大きくしてホルダ６の回転量を大きくしてもよい。そして注射針１ｄを回転させることで差し込みの抵抗が減ることから注射針１ｄの直径を０．３ミリよりさらに細くすることができる。また、注射針１ｄは体内から抜け出るときも回転するので、皮膚５を引き上げる高さを低くすることができる。
さらにホルダ６と注射器１とを一体化するため、嵌合部としてゴムリング７をホルダ６に取り付けたが、ナット１ｅの小円柱１ｆが、ホルダ６より軟質の合成樹脂で断面が多角形に形成されている場合、第一孔６ａの直径をこの小円柱断面の最大寸法に対し、０．０５〜０．１ミリ程度小さい孔としてもよい。この場合、第一孔６ａ自体が嵌合部となる。また、弾性部材をテーパバネ３として説明したが、線径の細い円筒コイルバネであってもよい。
上記二つの実施例において、注射針は皮膚に対して直角に差し込まれるので、本注射痛緩和装置は、筋肉注射に適したものとなる。また上記実施例では、注射器１をペン型注射器で説明したが一般的に用いられている注射器であってもよい。
【符号の説明】
【００２７】１  注射器      １ａ  シリンダ      １ｂ  ピストン      １ｄ  注射針
２  ホルダ      ２ａ  第一孔        ２ｂ  係合部
３  弾性部材
４  案内部材    ４ａ  第二孔        ４ｃ  被係合部
６  ホルダ      ６ａ  第一孔        ６ｅ  係合部
７  嵌合部材
８  把持部材
１０  筒体      １０ｃ  第二孔      １０ｄ  被係合部
【図１】
2012143614.tif 000003
【図２】
2012143614.tif 000004
【図３】
2012143614.tif 000005
【図４】
2012143614.tif 000006
【図５】
2012143614.tif 000007
【図６】
2012143614.tif 000008
【図７】
2012143614.tif 000009
【図８】
2012143614.tif 000010
【図９】
2012143614.tif 000011